(57)【要約】【課題】  本発明は、再生装置、再生装置の制御方法に関し、例えばＤＶＤプレイヤーに適用して、リモートコマンダーによる特定の操作を受け付けないようにする場合に、使い慣れていないユーザー等における使い勝手の劣化を防止する。【解決手段】  本発明は、記録媒体に記録されたビデオデータの再生を制御する制御情報に基づいて、リモートコマンダーにおける操作可能な操作子を表示し、該操作可能な操作子の操作を選択的に受け付けてビデオデータを再生する。【選択図】        図１
2005151066.tif 000002
【特許請求の範囲】
【請求項１】
リモートコマンダーの操作により動作を切り換えて、少なくとも記録媒体に記録されたビデオデータを再生する再生装置において、
前記記録媒体に記録された前記ビデオデータの再生を制御する制御情報に基づいて、
前記リモートコマンダーにおける操作可能な操作子を表示し、
該操作可能な操作子の操作を選択的に受け付けて前記ビデオデータを再生する
ことを特徴とする再生装置。
【請求項２】
リモートコマンダーの操作により動作を切り換えて、少なくとも記録媒体に記録されたビデオデータを再生する再生装置の制御方法において、
前記記録媒体に記録された前記ビデオデータの再生を制御する制御情報に基づいて、
前記リモートコマンダーにおける操作可能な操作子を表示し、
該操作可能な操作子の操作を選択的に受け付けて前記ビデオデータを再生する
ことを特徴とする再生装置の制御方法。
【発明の詳細な説明】
【技術分野】
【０００１】
本発明は、再生装置、再生装置の制御方法に関し、例えばＤＶＤ（Digital Versatile
Disk）プレイヤーに適用することができる。本発明は、記録媒体に記録されたビデオデータの再生を制御する制御情報に基づいて、リモートコマンダーにおける操作可能な操作子を表示し、該操作可能な操作子の操作を選択的に受け付けてビデオデータを再生することにより、リモートコマンダーによる特定の操作を受け付けないようにする場合に、使い慣れていないユーザー等における使い勝手の劣化を防止する。
【背景技術】
【０００２】
従来、光ディスクの再生装置であるコンパクトディスクプレイヤー、ＤＶＤプレイヤー等においては、リモートコマンダーにより操作できるようになされており、このようなリモートコマンダーに関する情報の提供にあっては、例えば特開平８−２８９３７４号公報に、リモートコマンダーの電池の残量をモニタ装置で表示する方法が提案されるようになされている。
【０００３】
またコンパクトディスクプレイヤーにおいては、曲単位で再生、スキップ等の操作を実行し得るように各種操作子がリモートコマンダーに設けられ、ユーザーによるこれら操作子の操作に応動してコンパクトディスクに記録されたオーディオ信号を再生するようになされている。
【０００４】
これに対してＤＶＤにおいては、再生を制御する制御情報としてナビゲーションコマンドが記録されるようになされている。これによりＤＶＤプレイヤーにおいては、ＤＶＤを再生しながら対応するナビゲーションコマンドを解析し、例えばコンテンツの提供者が早送りを禁止している場面、コマ送りを禁止している場面等にあっては、これらに関するリモートコマンダーによる特定の操作を受け付けないようになされている。
【０００５】
しかしながらこのようにしてリモートコマンダーの特定の操作を受け付けない場合にあっては、この種の再生装置を使い慣れたユーザーにとっては、何ら違和感を感じさせるものでは無いものの、再生装置を使い慣れていないユーザーにとっては著しく使い勝手が悪いものとなり、甚だしい場合には、リモートコマンダーの故障を疑わせるものとなる。
【０００６】
これによりこのようにリモートコマンダーによる特定の操作を受け付けないようにする場合に、使い慣れていないユーザー等における使い勝手の劣化を防止することが望まれる。
【特許文献１】特開平８−２８９３７４号公報
【発明の開示】
【発明が解決しようとする課題】
【０００７】
本発明は以上の点を考慮してなされたもので、リモートコマンダーによる特定の操作を受け付けないようにする場合に、使い慣れていないユーザー等における使い勝手の劣化を防止することができる再生装置、再生装置の制御方法を提案しようとするものである。
【課題を解決するための手段】
【０００８】
かかる課題を解決するため請求項１の発明においては、リモートコマンダーの操作により動作を切り換えて、少なくとも記録媒体に記録されたビデオデータを再生する再生装置に適用して、記録媒体に記録されたビデオデータの再生を制御する制御情報に基づいて、リモートコマンダーにおける操作可能な操作子を表示し、該操作可能な操作子の操作を選択的に受け付けてビデオデータを再生する。
【０００９】
また請求項２の発明においては、リモートコマンダーの操作により動作を切り換えて、少なくとも記録媒体に記録されたビデオデータを再生する再生装置の制御方法に適用して、記録媒体に記録されたビデオデータの再生を制御する制御情報に基づいて、リモートコマンダーにおける操作可能な操作子を表示し、該操作可能な操作子の操作を選択的に受け付けてビデオデータを再生する。
【００１０】
請求項１の構成により、リモートコマンダーの操作により動作を切り換えて、少なくとも記録媒体に記録されたビデオデータを再生する再生装置に適用して、記録媒体に記録されたビデオデータの再生を制御する制御情報に基づいて、リモートコマンダーにおける操作可能な操作子を表示し、該操作可能な操作子の操作を選択的に受け付けてビデオデータを再生すれば、ユーザーにおいては、操作可能な操作子を表示により確認することができ、その分、使い慣れていないユーザー等における使い勝手の劣化を防止することができる。
【００１１】
これにより請求項２の構成によれば、リモートコマンダーによる特定の操作を受け付けないようにする場合に、使い慣れていないユーザー等における使い勝手の劣化を防止することができる再生装置の制御方法を提供することができる。
【発明の効果】
【００１２】
本発明によれば、リモートコマンダーによる特定の操作を受け付けないようにする場合に、使い慣れていないユーザー等における使い勝手の劣化を防止することができる。
【発明を実施するための最良の形態】
【００１３】
以下、適宜図面を参照しながら本発明の実施例を詳述する。
【実施例１】
【００１４】
（１）実施例の構成
図２は、本発明の実施例に係る光ディスクの再生装置であるＤＶＤプレイヤーを示すブロック図である。このＤＶＤプレイヤー１において、スピンドルモータ４は、サーボ回路５の制御によりＤＶＤ３を所定の回転速度で回転駆動する。光ピックアップ６は、サーボ回路５の制御によりＤＶＤ３の半径方向に可動するように図示しないスレッド機構に保持され、ＤＶＤ３にレーザービームを照射してその戻り光を受光し、受光結果を出力する。ＲＦ回路７は、この光ピックアップ６により受光結果を処理することにより、ＤＶＤ３に形成されたピットに応じて信号レベルが変化する再生信号ＲＦ、トラッキングエラー量、フォーカスエラー量に応じて信号レベルが変化するトラッキングエラー信号ＴＥ、フォーカスエラー信号ＦＥ等を出力する。サーボ回路５は、システム制御回路８の制御により、このＲＦ回路７で生成される各種信号によりスピンドルモータ４をスピンドル制御し、光ピックアップ６をトラッキング制御、フォーカス制御し、さらには光ピックアップ６を所定トラックにシークさせる。
【００１５】
信号処理回路９は、ＲＦ回路７から出力される再生信号よりクロックを再生し、このクロックにより順次再生信号を２値識別することにより、再生データを検出する。またこの再生データをデインターリーブ処理した後、誤り訂正処理し、これによりＤＶＤに記録された各種のデータを再生して出力する。デコーダ１０は、このようにして再生される各種のデータの中からオーディオデータ及びビデオデータをデータ伸長して出力する。このＤＶＤプレイヤー１では、このデコーダ１０より出力されるビデオデータ及びオーディオデータがモニタ装置１１に出力し、これによりＤＶＤ３に記録された種々のコンテンツを視聴できるようになされている。
【００１６】
合成回路１２は、このデコーダ１０から出力されるビデオ信号に描画回路１３から出力されるビデオ信号を合成して出力し、描画回路１３は、システム制御回路８の制御により各種メニュー画面等に係るビデオ信号を生成して出力する。これによりこのＤＶＤプレイヤー１では、モニタ装置１１による表示画面上に、各種メニュー画面を表示し、さらにはアイコン等を表示できるようになされている。
【００１７】
受信回路１４は、リモートコマンダー１５から出力される遠隔制御信号を受信してシステム制御回路８に通知し、これに対応してリモートコマンダー１５は、ユーザーによる操作子の操作に応動して各種遠隔制御信号を例えば赤外線により送出する。これによりこのＤＶＤプレイヤー１では、リモートコマンダー１５の操作によりＤＶＤ３を再生できるようになされている。具体的に、リモートコマンダー１５は、図３に示すように、電源の操作子１５Ａ、再生、一時停止の操作子１５Ｂ、ガイドの操作子１５Ｃ、ジョイスティック１５Ｄ等が配置され、これらの操作子の操作によりＤＶＤプレイヤー１の動作を制御できるようになされている。
【００１８】
しかしてシステム制御回路８は、図示しないメモリに記録した処理手順の実行によりこのＤＶＤプレイヤー１の各部に制御信号を出力するコンピュータであり、このＤＶＤプレイヤー１に設けられた操作子１６の操作により、受信回路１４から通知される遠隔制御信号によるリモートコマンダー１５の操作により、このＤＶＤプレイヤー１全体の動作を制御する。
【００１９】
すなわちシステム制御回路８は、操作子１６の操作により、又はリモートコマンダー１５における電源の操作子１５Ａの操作により、ユーザーが電源の立ち上げを指示すると、図示しない電源回路に電源の供給開始を指示し、これによりこのＤＶＤプレイヤー１の電源を立ち上げる。またこのようにして電源を立ち上げて、操作子１６の操作により、又はリモートコマンダー１５における再生、一時停止の操作子１５Ｂの操作により、ユーザーがＤＶＤ３の再生を指示すると、サーボ回路５等に動作の開始を指示し、これによりＤＶＤ３を再生して得られるビデオ信号及びオーディオ信号をモニタ装置１１に出力する。
【００２０】
システム制御回路８は、このようにしてＤＶＤ３の再生を開始すると、ビデオ信号及びオーディオ信号と共にＤＶＤ３から再生されるナビゲーションコマンドのデータを信号処理回路９から取得し、このナビゲーションコマンドの解析により、リモートコマンダー１５による特定の操作を受け付けないようにする。具体的に、システム制御回路８は、リモートコマンダー１５の操作子について、選択的に操作を受け付けることにより、特定の操作子については操作を受け付けないようにする。またこのときユーザーによりガイド１５Ｃの操作子が操作された場合には、描画回路１３の制御によりモニタ装置１１の表示画面にこのように選択的に操作を受け付ける操作可能な操作子をオンディマンドにより表示する。
【００２１】
すなわち図１は、このようなナビゲーションコマンドに係るシステム制御回路８の処理手順を示すフローチャートである。システム制御回路８は、ＤＶＤ３の再生を開始すると、この処理手順を開始してステップＳＰ１からステップＳＰ２に移り、ここで信号処理回路９からナビゲーションコマンドが取得できたか否か判断する。ここで肯定結果が得られると、システム制御回路８は、ステップＳＰ２からステップＳＰ３に移り、取得したナビゲーションコマンドを解析する。また続くステップＳＰ４において、ガイドの操作子１５Ｃが押圧操作されているか否か判断する。
【００２２】
このステップＳＰ４において肯定結果が得られると、システム制御回路８は、ステップＳＰ４からステップＳＰ５に移り、ステップＳＰ３の解析結果により、描画回路１３の制御により使用可能な操作子のガイドをモニタ装置１１に表示した後、ステップＳＰ６に移る。またステップＳＰ４で否定結果が得られた場合、さらにはステップＳＰ２で否定結果が得られた場合、直接、ステップＳＰ６に移る。
【００２３】
ここでシステム制御回路８は、ユーザーにより操作子が操作されたか否か判断し、ここで否定結果が得られると、ステップＳＰ２に戻る。これに対してユーザーにより操作子が操作された場合、システム制御回路８は、ステップＳＰ６からステップＳＰ７に移り、ここでこのユーザーにより操作された操作子がステップＳＰ３の解析により使用可能な操作子か否か判断し、ここで否定結果が得られると、このユーザーによる操作子の操作を受け付けることなくステップＳＰ２に戻る。
【００２４】
これに対してこのユーザーにより操作された操作子がナビゲーションコマンドにより操作が許可された操作子の場合、システム制御回路８は、ステップＳＰ７からステップＳＰ８に移り、この操作子の操作に対応するように全体の動作を制御した後、ステップＳＰ２に戻る。
【００２５】
これによりこの実施例においては、リモートコマンダーによる特定の操作を受け付けないようにする場合に、ガイドの操作子１５Ｃの操作によるユーザーの指示により、操作可能な操作子を表示画面に表示してユーザーに通知するようになされ、これにより使い慣れていないユーザー等にあっても、何ら違和感を感じさせることが無いようになされている。
【００２６】
しかして図４は、このようにして表示されるモニタ装置１１の表示画面を示す平面図である。この表示画面においては、ユーザーによりオンスクリーンで再生時間等の表示が指示された状態を示すものであり、この表示画面の符号ＡＲにより示す領域に、操作可能な操作子が表示されるようになされている。
【００２７】
なおシステム制御回路８は、ユーザーによりガイドの操作子が再び操作されると、このようなオンディマンドによる表示を終了するようになされている。
【００２８】
（２）実施例の動作
以上の構成において、このＤＶＤプレイヤー１では、電源が立ち上げられてユーザーによりＤＶＤ３の再生が指示されると、サーボ回路５の制御によりスピンドル制御、トラック制御、フォーカス制御した状態で、ＤＶＤ３にレーザービームを照射して得られる戻り光の受光結果が光ピックアップ６で検出され、この受光結果がＲＦ回路７により処理されてＤＶＤ３に形成されたピットに応じて信号レベルが変化する再生信号ＲＦが得られ、この再生信号ＲＦが信号処理回路９により処理される。またこの処理結果によるビデオデータ及びオーディオデータがデコーダ１０によりデータ伸長された後、合成回路１２を介してモニタ装置１１に出力され、これによりＤＶＤ３に記録されたビデオデータ及びオーディオデータによる各種コンテンツをモニタ装置１１により鑑賞することができる。
【００２９】
このようにしてＤＶＤ３を再生した状態で、ＤＶＤプレイヤー１では、信号処理回路９でビデオデータの再生を制御するナビゲーションコマンドが再生され、このナビゲーションコマンドがシステム制御回路８により解析される。これによりＤＶＤプレイヤー１では、例えばコンテンツの提供者が早送りを禁止している場面、コマ送りを禁止している場面等が検出される。
【００３０】
ＤＶＤプレイヤー１では、これによりこのナビゲーションコマンドの解析結果に基づいてシステム制御回路８によりリモートコマンダー１５における操作子の操作が選択的に受け付けられ、これにより例えばコンテンツの提供者が早送りを禁止している場面にあっては、ユーザーによる早送りの操作を受け付けないようにしてＤＶＤ３を再生する。また同様に、コンテンツの提供者がコマ送りを禁止している場面にあっては、ユーザーによるコマ送りの操作を受け付けないようにしてＤＶＤ３を再生し、これらによりコンテンツ提供者の意思をＤＶＤ３の再生に反映させることができる。
【００３１】
しかしながらこのようにしてリモートコマンダー１５の操作を選択的に受け付ける場合にあっては、使い慣れていないユーザー等にあっては、著しく使い勝手の悪いものとなる。これによりＤＶＤプレイヤー１では、リモートコマンダー１５に設けられたガイドの操作子１５Ｃをユーザーが操作すると、ナビゲーションコマンドの解析結果により操作可能な操作子がモニタ装置１１に表示される。これによりＤＶＤプレイヤー１では、使い慣れていないユーザーにおいても、この表示により操作可能なリモートコマンダー１５に係る操作子を確認し得、その分、使い勝手を向上することができる。
【００３２】
（３）実施例の効果
以上の構成によれば、記録媒体に記録されたビデオデータの再生を制御する制御情報に基づいて、リモートコマンダーにおける操作可能な操作子を表示し、該操作可能な操作子の操作を選択的に受け付けてビデオデータを再生することにより、リモートコマンダーによる特定の操作を受け付けないようにする場合に、使い慣れていないユーザー等における使い勝手の劣化を防止することができる。
【実施例２】
【００３３】
この実施例においては、リモートコマンダーに設けられたガイドの操作子をユーザーが操作すると、リモートコマンダーの操作部をモニタ上に表示し、このリモートコマンダーの表示において、操作可能な操作子を表示する。なおこの実施例においては、このような操作可能な操作子の表示形態が異なる点を除いて、実施例１に係るＤＶＤプレイヤー１と同一に構成される。
【００３４】
この実施例のように、リモートコマンダーの操作部をモニタ上に表示し、このリモートコマンダーの表示において、操作可能な操作子を表示するようにしても、実施例１と同様の効果を得ることができる。
【実施例３】
【００３５】
この実施例においては、ＤＶＤプレイヤー本体とリモートコマンダーとの間で双方向通信できるように構成し、操作可能な操作子をＤＶＤプレイヤー本体からリモートコマンダーに通知する。またこの通知に基づいて、リモートコマンダーの各操作子に設けられた照明用の発光ダイオードを選択的に駆動することにより、この発光ダイオードによる照明により操作可能な操作子をリモートコマンダー側で表示する。なおこの実施例においては、このような操作可能な操作子の表示形態が異なる点を除いて、実施例１に係るＤＶＤプレイヤー１と同一に構成される。
【００３６】
この実施例のように、操作可能な操作子をリモートコマンダー側で表示するようにすれば、一段と使い勝手を向上することができる。
【実施例４】
【００３７】
なお上述の実施例においては、ナビゲーションコマンドにより早送り、コマ送りを制限する場合について述べたが、本発明はこれに限らず、この種の制御情報により種々の操作を制御する場合に広く適用することができる。
【００３８】
また上述の実施例においては、本発明をＤＶＤプレイヤーに適用した場合について述べたが、本発明はこれに限らず、種々の記録媒体に係る再生装置に広く適用することができる。
【産業上の利用可能性】
【００３９】
本発明は、例えばＤＶＤプレイヤーに適用することができる。
【図面の簡単な説明】
【００４０】
【図１】本発明の実施例に係るＤＶＤプレイヤーのシステム制御回路の処理手順を示すフローチャートである。
【図２】本発明の実施例に係るＤＶＤプレイヤーを示すブロック図である。
【図３】図２のＤＶＤプレイヤーのリモートコマンダーを示す平面図である。
【図４】図１の処理手順の説明に供するモニタ装置の表示画面を示す平面図である。
【符号の説明】
【００４１】
１……ＤＶＤプレイヤー、３……ＤＶＤ、８……システム制御回路、１１……モニタ装置、１５……リモートコマンダー
【図１】
2005151066.tif 000003
【図２】
2005151066.tif 000004
【図３】
2005151066.tif 000005
【図４】
2005151066.tif 000006